【手続補正書】
【提出日】令和2年6月25日(2020.6.25)
【手続補正１】
【補正対象書類名】特許請求の範囲
【補正対象項目名】全文
【補正方法】変更
【補正の内容】
【特許請求の範囲】
【請求項１】
システムであって、
コンクリートミキサに装着された音響プローブアセンブリであって、前記音響プローブアセンブリは、音響経路を有し、音響放出器が、前記音響経路に沿って音響信号を放出するように構成され、音響受信器が、前記音響経路に沿った伝播後の前記音響信号を受信するように構成され、前記音響プローブアセンブリは、前記音響信号が前記音響放出器から前記音響受信器まで、前記コンクリートミキサによってハンドリングされる生コンクリート試料を渡って伝播するのに要する時間の所要期間を示す電磁信号を生成するように構成及び適合される、音響プローブアセンブリと、
前記音響プローブアセンブリと通信可能に結合されたコンピューティング装置であって、前記コンピューティング装置は、前記生コンクリート試料の配合を示す配合データを受信するステップ、前記電磁信号に基づいて前記時間の所要期間を決定するステップ、及び前記受信した配合データに関する基準データを使用して前記時間の所要期間に合致する密度値を求めるステップを実行するように構成されている、コンピューティング装置と、
前記コンピューティング装置と通信可能に結合されたユーザインタフェースであって、前記ユーザインタフェースは、前記生コンクリート試料の前記密度値を表示するように構成されている、ユーザインタフェースと、を備える、システム。
【請求項２】
前記音響プローブアセンブリは、前記所要期間を前記コンピューティング装置に送信するための所要期間送信器を含む、請求項１に記載のシステム。
【請求項３】
前記音響プローブアセンブリは、前記コンクリートミキサとの関連において前記音響プローブアセンブリの位置を示す位置データを生成するための少なくとも１つの加速度計を有する、請求項１に記載のシステム。
【請求項４】
前記音響プローブアセンブリは、前記コンクリートミキサのドラム内部に装着されている、請求項１に記載のシステム。
【請求項５】
前記音響受信器は、第１の音響受信器であり、前記音響プローブアセンブリは、前記音響放出器に隣接して前記第１の音響受信器に対向していることにより、前記音響信号が放出された時を検出する第２の音響受信器を含む、請求項１に記載のシステム。
【請求項６】
密度値を決定するためのコンピュータ実装方法であって、前記方法は、
音響信号が、音響放出器から音響受信器まで、生コンクリートミキサによってハンドリングされる生コンクリート試料を渡って伝播するのに要する時間の所要期間を示す電磁信号を受信することと、
前記生コンクリート試料の配合を示す配合データを受信することと、
前記電磁信号に基づいて前記時間の所要期間を決定することと、
前記受信した配合データに関する基準データを使用して前記時間の所要期間に合致する密度値を求めるマッチングを行い、前記密度値を表示することと、を備える、方法。
【請求項７】
前記基準データは、複数の基準所要期間を対応する基準密度値と関連付ける参照テーブルを含む、請求項６に記載の方法。
【請求項８】
前記マッチングは、
前記所要期間に対応する所定の基準所要期間を見つけるために前記基準データを参照することと、
前記密度値が前記所定の基準所要期間と関連した基準密度値に対応することを決定することと、を含む、請求項７に記載の方法。
【請求項９】
前記参照することは、前記所要期間を囲む少なくとも２つの基準所要期間を見つけることと、前記少なくとも２つの基準所要期間と関連した少なくとも２つの基準密度値に基づいて前記密度値を推定することと、を含む、請求項８に記載の方法。
【請求項１０】
前記基準データは、基準所要期間を対応する基準密度値と関連付ける数学的関係を含む、請求項６に記載の方法。
【請求項１１】
前記マッチングは、
前記所要期間を前記数学的関係に入力することと、
前記密度値が前記入力することの結果に対応することを決定することと、を含む、請求項１０に記載の方法。
【請求項１２】
前記所要期間を所要期間閾値と比較することを更に備え、前記信号は、前記所要期間が前記所要期間閾値以下であるもの及びそれを超えているもののうちの１つであるときに、前記密度値が密度閾値以下であるもの及びそれを超えているもののうちのの１つであることを示している、請求項６に記載の方法。
【請求項１３】
前記マッチングの前に、前記方法は、
前記受信した配合データに基づいて複数の異なる配合の生コンクリート試料に関する複数の基準データの中から、前記生コンクリート試料の配合と関連した前記基準データを選択することを更に備え、
前記マッチングは、前記選択された基準データを使用する、請求項６に記載の方法。
【請求項１４】
前記配合データは、入力から受信される、請求項１３に記載の方法。
【請求項１５】
前記基準データは、前記生コンクリート試料の空気量を示す基準空気量データを含み、前記方法は、前記密度値及び前記基準空気量データに基づいて空気量データを決定することを更に備える、請求項６に記載の方法。
【請求項１６】
前記空気量データを決定することは、前記基準空気量データを、前記基準密度値と前記密度値との間の差と前記基準密度値との比に加算したものを計算することを含む、請求項１５に記載の方法。
【請求項１７】
密度値を決定するためのコンピューティング装置であって、前記コンピューティング装置は、
プロセッサによって実行可能なプログラムコードが記憶されているメモリと、
前記プログラムコードを実行するように構成された少なくとも１つのプロセッサであって、前記メモリ及び前記少なくとも１つのプロセッサは、請求項６に記載のコンピュータ実装方法のステップを実行するように構成されている、少なくとも１つのプロセッサと、を備える、コンピューティング装置。
【請求項１８】
前記基準データは、複数の異なる配合の生コンクリート試料についての基準所要期間及び対応する基準密度値を有する、請求項１７に記載のコンピューティング装置。
【請求項１９】
前記基準データは、参照テーブルのうちの少なくとも１つと、基準所要期間を対応する基準密度値と関連付ける数学的関係と、を含む、請求項１７に記載のコンピューティング装置。
【請求項２０】
コンピュータ実装方法であって、
音響信号が音響放出器から音響受信器まで、生コンクリートミキサによってハンドリングされる生コンクリート試料を渡って伝播するのに要する時間の所要期間を示す電磁信号を受信することと、
前記生コンクリート試料の配合を示す配合データを受信することと、
前記電磁信号に基づいて前記時間の所要期間を決定することと、
前記所要期間を前記受信した配合データに関する所要期間閾値と比較して、前記所要期間が前記所要期間閾値を超えているもの及びそれ以下のもののうちの１つであるときに、前記密度値が密度閾値を超えているもの又はそれ以下のもののうちの１つであることを表示することと、を備える、方法。
【請求項２１】
基準データを作成するためのコンピュータ実装方法であって、前記方法は、
音響信号が音響放出器から少なくとも１つの音響受信器まで、ある配合の生コンクリート試料を渡って伝播するのに要する時間の基準所要期間を受信することと、
前記生コンクリート試料の密度を示す基準密度値を受信することと、
前記同一の配合の、異なる空気量の複数の生コンクリート試料について前記受信するステップを反復することと、
前記基準所要期間を前記対応する基準密度値と前記生コンクリート試料の配合を示す配合データと関連付けることによって、前記生コンクリートの配合について基準データを作成することと、を備える、方法。
【請求項２２】
生コンクリートの少なくとも１つの別の配合について、前記受信するステップ、反復するステップ、及び作成するステップを実行することを更に備える、請求項２１に記載の方法。